(57)【要約】【課題】  通常時は防災用品等を収納する倉庫として広いスペースを活用できると共に、非常時は防災用品等を搬出した後の空間を利用するに際し、その利用の迅速性、簡易性を重視した防災用収納箱を提供すること。【解決手段】  防災用収納箱１は、防災用品等を収納可能な建物であって、その内部に倉庫スペース１０とこの倉庫スペース１０の下に収納スペース１１を備えると共に、前記収納スペース１１のカバーとなる床面３と、収納箱１の壁面４に折畳まれ、展開時に前記収納スペース１１の上方の倉庫スペース１０を仕切ることができる仕切板５を備えている。  地震等の災害発生の非常時には防災用品等が搬出された後に、前記床面３を壁面４側に移動させることで前記収納スペース１１を倉庫スペース１０に臨ませると共に、前記仕切板５により、前記倉庫スペース１０を収納スペース１１毎に区間可能としている。【選択図】        図２
2010037851.tif 000002
【特許請求の範囲】
【請求項１】
防災用品等を収納可能な防災用収納箱であって、
その内部に倉庫スペースとその下に少なくとも１つ収納スペースを備えると共に、
前記収納スペースのカバーとなる床面と、壁面側に折畳まれ、且つ、展開時に前記収納スペースの上方の倉庫スペースを仕切りことができる仕切板を備えたことを特徴とする防災用収納箱。
【請求項２】
前記床面を壁面側に移動させることで前記収納スペースを倉庫スペースに臨ませると共に、前記仕切板により、前記倉庫スペースを収納スペース毎に区間可能な小部屋を形成することを特徴とする請求項１に記載の防災用収納箱。
【請求項３】
前記収納スペースには便器が設置されていることを特徴とする請求項１又は２に記載の防災用収納箱。
【請求項４】
前記小部屋の一面は、防災用収納箱の壁面であることを特徴とする請求項２又は請求項３に記載の防災用収納箱。
【請求項５】
前記仕切板は隣接する各小部屋に共用されることを特徴とする請求項１乃至４のいずれかに記載の防災用収納箱。
【請求項６】
前記小部屋は防災用収納箱の壁面に沿って隣接して配置可能なことを特徴とする請求項２乃至請求項５のいずれかに記載の防災用収納箱。
【発明の詳細な説明】
【技術分野】
【０００１】
本発明は、防災用品等を備蓄することができる防災用収納箱に関する。
【背景技術】
【０００２】
１９９５年に起きた阪神・淡路大震災は、都市のライフライン等に甚大な被害を与えたが、その中で罹災者を苦しめたトラブルにトイレ問題を始めとする生活衛生面の問題があった。
トイレの個数不足に対しては、非特許文献１のような、建設現場等に設置される仮設トイレを多数、被災地に投入することで解消させることができる。しかし、このような仮設トイレは、機能本位な構成、外観であって、女性には敬遠される恐れがあった。
【０００３】
一方、特許文献１では、物置、物置用トイレキットに関し、たとえば災害時等に有効に機能する物置、物置用トイレキットが開示されている。
これは平常時および非常時のいずれにおいても設置スペースを有効に活用することが可能な物置を提供することにあるとされ、物置等の建物の床下空間のデッドスペースの有効利用に着目したものであった。
【非特許文献１】日野興業株式会社  取扱商品  仮設トイレ  ２００８年７月１４日検索  インターネット＜ＵＲＬ  ｈｔｔｐ：／／ｗｗｗ．ｈｉｎｏｋｏｇｙｏ．ｃｏ．ｊｐ／ｍａｉｎ／ｐｒｏｄｕｃｔｓ／ｔｏｉｌｅｔ０１．ｈｔｍｌ＞
【特許文献１】特開２００８−２２１４
【発明の開示】
【発明が解決しようとする課題】
【０００４】
しかしかかる物置、物置用トイレキットにおいては、倉庫スペースが複数の小型収納室に細分化されており、倉庫の容積性に問題があった。また、非常時には「大便器１５１、小便器１５２等を取り出し、床パネル１５６、床パネル１５７を外して便槽蓋１５３、便槽蓋１５４の便器用開口部１５３ａ、便器用開口部１５４ａに設置して物置１００を簡易トイレとして利用する」旨、記載されており、被災地の混乱の中での迅速なトイレの設置に不安があった。
【０００５】
そこで、本願発明は、通常時は防災用品等を収納する倉庫として広いスペースを活用できると共に、非常時は防災用品等を搬出した後の空間を利用するに際し、男女を問わずに使い勝手がよく、またその利用の迅速性、簡易性を重視した防災用収納箱を提供することを目的とする。
【課題を解決するための手段】
【０００６】
上記課題を解決するため、本願発明は、防災用品等を収納可能な防災用収納箱であって、その内部に倉庫スペースとその下に少なくとも１つ収納スペースを備えると共に、前記収納スペースのカバーとなる床面と、壁面側に折畳まれ、且つ、展開時に前記収納スペースの上方の倉庫スペースを仕切りことができる仕切板を備えたことを特徴とする防災用収納箱とした（請求項１の発明）。
【０００７】
上記発明において、前記床面を壁面側に移動させることで前記収納スペースを倉庫スペースに臨ませると共に、前記仕切板により、前記倉庫スペースを収納スペース毎に区間可能な小部屋を形成することを特徴とする防災用収納箱とした（請求項２の発明）。
【０００８】
上記発明において、前記収納スペースには便器が設置されていることを特徴とする防災用収納箱とした（請求項３の発明）。
【０００９】
上記発明において、前記小部屋の一面は、防災用収納箱の壁面であることを特徴とする防災用収納箱とした（請求項４の発明）。
【００１０】
上記発明において、前記仕切板は隣接する各小部屋に共用されることを特徴とする防災用収納箱とした（請求項５の発明）。
【００１１】
上記発明において、前記小部屋は防災用収納箱の壁面に沿って隣接して配置可能なことを特徴とする防災用収納箱とした（請求項６の発明）。
【発明の効果】
【００１２】
本発明によれば、通常時には、防災用品等を収納する倉庫として広いスペースを活用できる。そして、収納スペースに例えば便器を設置すれば、非常時には防災用品等を搬出した後の空間を利用して少なくとも一個の独立したトイレブースとなる小部屋を形成可能な収納箱となっている。
即ち、小部屋の組立の迅速性、簡易性が発揮され、さらに男女を問わずにプライバシーが保護されて使い勝手がよい収納箱を提供することができる。
さらに、収納スペースの設置物に従って、多用途に利用することができる収納箱となっている。
【発明を実施するための最良の形態】
【００１３】
本発明に係る防災用収納箱の実施形態を図面に基いて説明する。
図１及び図２は実施形態に係る防災用収納箱の外観正面図及び同外観背面図、図３は同防災用収納箱の通常時の水平断面図、図４は同正面視縦断面図、図５は同側面視縦断面図である。
図６は実施形態に係る防災用収納箱の非常時の水平断面図、図７は同正面視縦断面図、図８は同側面視縦断面図である。
これらの各図及び後述の各図において、同一の構成は同一の符号を付して重複した説明を省略する。
【００１４】
前記防災用収納箱１（以下、収納箱１とも称する）は、図１〜図５に示したように防災用品（図示せず）等を収納可能な建物であって、その内部に倉庫スペース１０とこの倉庫スペース１０の下に収納スペース１１を備えると共に、前記収納スペース１１のカバーとなる床面３と、収納箱１の壁面４に折畳まれ、且つ、展開時に前記収納スペース１１の上方の倉庫スペース１０を仕切ることができる仕切板５を備えている。
【００１５】
地震等の災害時以外の通常時には、床面３から上方が防災用品等を収納可能な倉庫スペース１０となっている。
一方、図６〜図８に示したように、地震等の災害発生の非常時には防災用品等が搬出された後に、前記床面３を壁面４側に移動させることで前記収納スペース１１を倉庫スペース１０に臨ませると共に、前記仕切板５により、前記倉庫スペース１０を収納スペース１１毎に区間可能としている。
【００１６】
よって、通常時には、防災用品等を収納する倉庫として広いスペースを活用できる。そして、収納スペース１１に例えば便器８が設置されていれば、独立したトイレブースとなる小部屋２を形成可能な収納箱となっている。従って、小部屋２の組立の迅速性、簡易性が発揮され、さらに男女を問わずにプライバシーが保護されて使い勝手がよい収納箱１を提供することができる。
【００１７】
前記防災用品は、例えば、炊飯用具、飲料水、保存食料、燃料、ストーブ、簡易トイレ、シート、毛布等の防寒品、ポリタンク、発電機、救急用品等であって、災害時に罹災者の生活に必要な物である。
その他、前記収納箱１の設置場所に応じて、収納対象は変わってくる。例えば、設置場所が公園内であれば、公園の管理に必要な物品が含まれる。また、設置場所が公的な会館等であれば、会館の器具備品等が含まれる。
【００１８】
、
前記収納箱１は、主として動産的に組立可能なもの、移築可能なものであって、例えばユニットハウス、仮設ハウス、倉庫、多目的ハウス等と称され、物等を収納できる建物である。また、ユニット建物のように規格化され、連設されるようなものも含まれる。
【００１９】
前記収納箱１は、外壁１２、屋根１３、床１４からなり、外壁１２の開口にはドア１５が設けられている。ドア１５とドア１５の間の枠１２０は取外式竪枠となっており、ドア１５の開口幅により収納対象が制限されないようになっている。その他、外壁１２には換気扇１６が、屋根１３には太陽電池パネル１７がそれぞれ取付可能となっている。
前記収納箱１の外壁１２、屋根１３、床１４等はパネル式となっていて、現地設置でのノックダウンが可能となっている。
【００２０】
前記収納箱１の内部の倉庫スペース１０は、外壁１２、屋根１３、ドア１５及び床面３によって囲まれた空間であって、概ね１つの空間を指し、かかる空間が防災用品等を収納可能なスペースとなっている。
その他、前記収納箱１の使用目的に応じて、倉庫スペース１０の他に、居住用の空間や事務所用の空間等を設けてもよく、その場合には居住空間等の中に独立する小部屋２を区画可能に構成してもよい。
【００２１】
前記収納スペース１１は、外壁１２、床１４及び床面３によって囲まれた空間であって、少なくとも１の空間が形成されていると共に、その収納スペース１１に収納される対象物に従って、固定間仕切６（図４及び図５参照）等で区画可能になっている。
【００２２】
前記小部屋２は、床１４からの高さが平均的な身長の大人が隠れる程度のものすることができる仕切板５、ドア１５、壁面４及び床１４とで区画される空間から構成されている。  
【００２３】
以上のように構成された収納箱１においては、前記小部屋２は、収納スペース１１に収納されているものが便器８であれば、上述のようにトイレブースとなり、耐水性のパレット等であればシャワーブースになり、浴槽であれば風呂ブースになり、それぞれ収納スペース１１に収納されているものによって、その用途が決定される。
【００２４】
次に前記床面３の構成例を図９Ａ〜同９Ｄに基づいて説明する。
前記床面３は、収納スペース１１に応じて、分割されており、図９Ａ〜同９Ｄは分割された床面３の構成例を示すものである。図９Ａは床面３の平面図、図９Ｂは床面３をドア１５側からみた正面図、図９Ｃは側面図、図９Ｄは床面３の折畳状態を示す側面図である。
【００２５】
前記床面３は、一端が壁面４側に回動自在に固定されている床本体３０と、この床本体３０の他端に回動自在に固定されているボート３１と、このボード３１に取付けられている取手３２からなる。
前記床本体３０は、断面略Ｕ字アングル３３によりその強度が補強されている。
前記ボード３１は、ドア１５からの視線に対し収納スペース１１をカバーするものでもある。
【００２６】
次に、前記仕切板５の構成例を、図１０Ａ〜同１０Ｃに基づいて説明する。図１０Ａは仕切板５の折畳状態を示す平面図、図１０Ｂは展開された仕切板５の側面図、図１０Ｃは同平面図である。
前記仕切板５は、その一端５０ａが壁面４側に回転自在に固定されて、水平方向に展開自在に取り付けられる第１の仕切材５０と、その他端に水平方向に展開自在に連結された第２の仕切材５１と、その他端に水平方向に展開自在に連結され第３の仕切材５２からなる。
【００２７】
前記仕切板５は、前記第１の仕切材５０の一端５０ａが、隣接する収納スペース１１、１１の境界線の鉛直方向に沿って取り付けられており、折畳まれた状態では、収納箱１の壁面４と一体となることで、倉庫スペース１０内に防災用品等が収納可能なように空間の最大化が図られている。
一方、非常時においては、隣接する収納スペース１１上の倉庫スペース１０の間仕切りとなって、利用者のプライバシーの保護を確保できるようになっている。
【００２８】
前記仕切板５及び床面３は、特別な冶具を用いることなく、また他の構成部材を付加させることなく、それぞれ展開、折畳可能に、敷設、収納可能となっている。
【００２９】
前記仕切材５は、予め収納箱１の壁面４に取付けたものでもよいが、例えば収納箱１の内部に収納しておいて、非常時の際に壁面４に取付けるように、後付けにしてもよい、
【００３０】
前記固定間仕切板６は、上述のように収納スペース１１の間仕切りとなるもので、図１１Ａの図示の通り、本体６０と、この本体６０を床１４に固定する固定部６１と、前記床面３の端部を支える床面サポート部６２と、前記仕切板５の下端を支える仕切板サポート部６３を備えている。
【００３１】
以上のように構成される収納箱１では、前記仕切板５は隣接する各小部屋２、２・・・に共用されるようになっている。
【００３２】
以上の収納箱１について、図３〜図８の如く４つの収納スペース１１（以下、図４に１１Ａ、１１Ｂ、１１Ｃ、１１Ｄと符号付する）を備えたケースにおいて、床面３が敷設され、仕切板５が折畳状態となっている通常時から、非常時への使用態様を説明する。
【００３３】
まず、収納スペース１１Ａの床面３を壁面４側に収納する。即ち、取手３２を用いて、床本体３０を、その回転部３０ａ（図９Ｃ参照）を中心にして、鉛直方法に壁面４まで押上げる。
次に、収納スペース１１Ａと１１Ｂの境界に位置させた仕切板５の第３仕切材５２、第２仕切材５１及び第１仕切材５０を順次展開させつつ、各仕切板の各下端を前記固定間仕切板６の仕切板サポート部６３に配置する。その際にピン５３などを仕切板サポート部６３の孔に落とし込む。
【００３４】
次に、順次、収納スペース１１Ｂの床面３の収納、収納スペース１１Ｂと１１Ｃの境界に位置させた仕切板５の展開、収納スペース１１Ｃの床面３の収納、収納スペース１１Ｃと１１Ｄの境界に位置させた仕切板５の展開、収納スペース１１Ｄの床面３の収納を行う。
収納スペース１１に便器８が収納されている場合には、その便器８は便槽８０と一体のものを収納しておいてもよい。下水管に隣接して収納箱１を設置できる場合には、便器８からパイプ等を介して下水管への直流方式でもよい。
【００３５】
以上のような防災用収納箱１の作用効果は、次の通りである。
１．  収納箱１の収納スペース１１の使用目的、用途を自由に設定でき、倉庫スペース１０が、その目的、用途に応じた小部屋２を備えた空間に可変可能である。
２．  各小部屋２の独立性が高いので、非常時に際してもプライバシーの保護を図ることができる。
３．  前記小部屋２は、折畳、展開できる仕切板５により構成されるので、通常時には倉庫スペース１０の機能を害することなく、非常時には迅速に小部屋２を設置することができる。また、収納箱１の壁面４を小部屋の一部に利用することで、仕切板５の構成部材を少なくすることができる。
４．  展開することができる仕切板５及び収納することができる床面３としたことで、非常時には迅速に小部屋２を設置することができる。
５．  また、展開された仕切板５は簡単に折畳むことができ、収納された床面３は簡単に敷設でき、再度倉庫スペース１０に可変させることができる。
【図面の簡単な説明】
【００３６】
【図１】実施形態に係る防災用収納箱の外観正面図、
【図２】同背面図、
【図３】実施形態に係る防災用収納箱の通常時の水平断面図、
【図４】同正面から見た縦断面図、
【図５】同側面から見た縦断面図、
【図６】実施形態に係る防災用収納箱の非常時の水平断面図、
【図７】同正面から見た縦断面図、
【図８】同側面から見た縦断面図、
【図９Ａ】床面の平面図、
【図９Ｂ】同正面図、
【図９Ｃ】同側面図、
【図９Ｄ】折畳状態の床面の側面図、
【図１０Ａ】折畳状態の仕切板の平面図、
【図１０Ｂ】仕切板の展開状態の側面図、
【図１０Ｃ】同平面図、
【図１１Ａ】固定間仕切板の側面図、
【図１１Ｂ】同正面図である。
【符号の説明】
【００３７】
１  防災用収納箱
１０  倉庫スペース
１１  収納スペース
１２  外壁
１３  屋根
１４  床
１５  ドア
１６  換気扇
１７  太陽電池パネル
２  小部屋
３  床面
３０  床面本体
３１  ボード
３２  取手
３３  アングル
４  壁面
５  仕切板
５０  第１の仕切材
５１  第２の仕切材
５２  第３の仕切材
６  固定間仕切板
【図１】
2010037851.tif 000003
【図２】
2010037851.tif 000004
【図３】
2010037851.tif 000005
【図４】
2010037851.tif 000006
【図５】
2010037851.tif 000007
【図６】
2010037851.tif 000008
【図７】
2010037851.tif 000009
【図８】
2010037851.tif 000010
【図９Ａ】
2010037851.tif 000011
【図９Ｂ】
2010037851.tif 000012
【図９Ｃ】
2010037851.tif 000013
【図９Ｄ】
2010037851.tif 000014
【図１０Ａ】
2010037851.tif 000015
【図１０Ｂ】
2010037851.tif 000016
【図１０Ｃ】
2010037851.tif 000017
【図１１Ａ】
2010037851.tif 000018
【図１１Ｂ】
2010037851.tif 000019